(57)【特許請求の範囲】
【請求項１】
前面部材と、背面部材と、左右それぞれに設けられる側面部材と、底面部材とから箱形に形成され、前記側面部材から内方に離間した位置に物品を受け入れて保持する上端開口状の物品保持部が設けられた梱包装置であって、
前記物品保持部は、前記各側面部材の上端から内側に折り曲げられて内方に延出して内向きに下り傾斜となる傾斜面を構成する内面部材と、前記傾斜面から前記底面部材に向かって下方に延設された部分とから構成されていることを特徴とする梱包装置。
【請求項２】
前記内面部材を支持するフラップが前記物品保持部の内側面の側端部から延設されてなることを特徴とする請求項１記載の梱包装置。
【請求項３】
左右それぞれに設けられる前記内面部材を相互に連結し前記物品保持部の内底面を構成する連結部材が少なくとも一方の前記内面部材の下端から延設され、少なくとも他方の前記内面部材の下端に切込部が穿設され、前記連結部材の先端に形成された突出部が前記切込部に挿入されて連結されてなることを特徴とする請求項１又は請求項２記載の梱包装置。
【請求項４】
前記傾斜面が平面により構成されてなることを特徴とする請求項１、請求項２又は請求項３記載の梱包装置。
【請求項５】
前記傾斜面が曲面により構成されてなることを特徴とする請求項１、請求項２又は請求項３記載の梱包装置。
【請求項６】
前記前面部材の上端が谷状に切り欠かれて前記前面部材の上端の前記物品保持部より外側の縁が前記傾斜面の側辺と合うように形成されてなることを特徴とする請求項１から請求項５のうちいずれか一に記載の梱包装置。
【請求項７】
各部材が隣接する他の部材に繋がり全体が一平面上に展開可能に一体形成されてなることを特徴とする請求項１から請求項６のうちいずれか一に記載の梱包装置。
【発明の詳細な説明】
【０００１】
【発明の属する技術分野】
本発明は、梱包装置に関するものである。
【０００２】
【従来の技術】
従来、腕時計等の物品を梱包する紙等の材料からなる梱包装置として、箱本体と台座と蓋とからなるものがあった。例えば、箱本体は前面部材と、背面部材と、左右それぞれに設けられる側面部材と、底面部材とから箱形に形成されたものであり、台座は物品を受け入れて保持する上端開口状の凹部を有するものである。台座が箱本体内に内装されることにより箱本体中央に前記凹部により物品保持部が形成される。
例えば蓋には、箱本体とは別体のものとして、周壁部材と前記周壁部材の上端の一部から延出する上面部材とを有し、前記上面部材の先端に付設されたフラップを前記周壁部材の内側に沿って蓋内に挿入することにより組み立てられるものがある。
【０００３】
また腕時計を商品として包装する際に、腕時計をスペーサに巻きつけ美しい輪状に固定し、時計バンドを含めて外観良好に見えるようにして包装する場合がる。特に時計バンドが柔軟なものに対してそのようなスペーサが必要になる。このスペーサには、紙等の曲げ変形可能な平板状長尺物を輪状にしたものがある。
【０００４】
【発明が解決しようとする課題】
本発明は、物品の外観を目視しやすく展示性に優れた梱包装置を提供するとともに、立体形状の安定性を向上させることが可能な梱包装置を提供することを課題とする。
【０００５】
【課題を解決するための手段】
以上の課題を解決するため請求項１記載の発明は、例えば図１乃至図５（図８乃至図１０）等に示すように、前面部材a1(b1)と、背面部材a5(b5)と、左右それぞれに設けられる側面部材a2,a3(b2,b3)と、底面部材a4(b4)とから箱形に形成され、前記側面部材から内方に離間した位置に物品（２）を受け入れて保持する上端開口状の物品保持部（凹部１０）が設けられた梱包装置であって、
前記物品保持部は、前記各側面部材の上端から内側に折り曲げられて内方に延出して内向きに下り傾斜となる傾斜面a6、a13（b30、b31）を構成する内面部材a30,a31(b30,b31)と、前記傾斜面a6,a13(b6,b13)から前記底面部材a4（b4）に向かって下方に延設された部分a7,a14(b7,b14)とから構成されていることを特徴とする梱包装置である。
【０００６】
したがって請求項１記載の発明によれば、収納された物品を、物品保持部を構成している各側面部材の間の位置で保持することができ、収納された物品を外部に離脱させず、下方へ落下させずに確実に保持することができる。また、物品保持部の両側には内向きに下り傾斜となる傾斜面が構成されているので、収納される物品の出し入れがしやすいとともに、物品を収納した際、物品が斜めからも見やすく、また、傾斜面が物品の左右両脇に露出するので、傾斜面が物品を引き立てる装飾的作用を奏する。なお、傾斜面を着色したり、傾斜面にプリント、レリーフ、打ち抜き加工等を施したりなど傾斜面が装飾的デザインの対象となり、各種の装飾加工を施せば、より一段と物品を引き立てる飾り付けの美しさや興味深さが向上する。
【０００７】
請求項２記載の発明は、
前記内面部材を支持するフラップa9,a10,a16,a17(b9,b10,b16,b17)が前記物品保持部（凹部１０）の内側面の側端部から延設されてなることを特徴とする請求項１記載の梱包装置である。
【０００８】
したがって請求項２記載の発明によれば、内面部材に物品の荷重等のある程度の外力が作用しても、フラップが内面部材を支持するので、その方向には動き難く、内面部材が所望の立体形状に保持されやすく、その結果、収納される物品が所望の位置に安定しやすい。
【０００９】
請求項３記載の発明は、
左右それぞれに設けられる前記内面部材a30,a31(b30,B31)を相互に連結し前記物品保持部（凹部１０）の内底面を構成する連結部材a8,a15(b8,b15)が少なくとも一方の前記内面部材の下端から延設され、少なくとも他方の前記内面部材の下端に切込部a12,a19(b12,b19)が穿設され、前記連結部材の先端に形成された突出部a11,a18(b11,b18)が前記切込部に挿入されて連結されてなることを特徴とする請求項１又は請求項２記載の梱包装置である。
【００１０】
したがって請求項３記載の発明によれば、連結部材が左右の内面部材の下端間に架設され、この連結部材により物品を所望の高さに支持し、下方へ落下させずに保持することができる。また、物品を収納しない状態において、左右の内面部材のうち一方の内面部材の下端から延設される連結部材が他方の内面部材に当接するので、内面部材を構成する材料の回復力により、右の内面部材が所望の位置より左方向へ動いたり、左の内面部材が所望の位置より右方向へ動いたりすることが防がれ、内面部材が所望の立体形状に保持されやすく、その結果、収納される物品が所望の位置に安定しやすい。
【００１１】
請求項４記載の発明は、前記傾斜面が平面により構成されてなることを特徴とする請求項１、請求項２又は請求項３記載の梱包装置１である。
【００１２】
したがって請求項４記載の発明によれば、平面による装飾美が楽しめる。
【００１３】
請求項５記載の発明は、前記傾斜面が曲面により構成されてなることを特徴とする請求項１、請求項２又は請求項３記載の梱包装置４である。
【００１４】
したがって請求項５記載の発明によれば、曲面による装飾美が楽しめる。曲面は外側に突出する曲面としても内側に突出する曲面としても良い。それぞれデザインが楽しめる。
【００１５】
請求項６記載の発明は、前記前面部材a1(b1)の上端が谷状に切り欠かれて前記前面部材の上端の前記物品保持部（凹部１０）より外側の縁が前記傾斜面の側辺と合うように形成されてなることを特徴とする請求項１から請求項５のうちいずれか一に記載の梱包装置である。
【００１６】
したがって請求項６記載の発明によれば、前面部材の上端が物品を受け入れる凹部の範囲で谷底となるような谷状に形成されるので、凹部に保持された物品を前面側からも見やすく展示することができる。前面部材上端の谷形状の傾斜に当たる部分は内面部材の傾斜面の側辺と合わさるので、梱包装置の外装もきれいである。
【００１７】
請求項７記載の発明は、各部材が隣接する他の部材に繋がり全体が一平面上に展開可能に一体形成されてなることを特徴とする請求項１から請求項６のうちいずれか一に記載の梱包装置である。
【００１８】
したがって請求項７記載の発明によれば、紙等の折り曲げ可能な平板状の材料を打ち抜き剪断加工することにより効率良く生産することができる。
そして、各部材が隣接する他の部材に繋がって成る一枚の加工材を折り曲げて組み立てることができるものである。
【００１９】
【発明の実施の形態】
以下に本発明の一実施形態につき図面を参照して説明する。以下は本発明の一実施形態であって本発明を限定するものではない。
【００２０】
〔第１の実施形態〕
本発明の第１の実施形態につき図面を参照して説明する。図１は、本実施形態の梱包装置１の展開図である。
図１に示すように梱包装置１は、各部材が隣接する他の部材に繋がり全体が一平面上に展開可能に一体形成される。
【００２１】
まず、梱包装置１の要素を挙げる。
梱包装置１は、前面を構成する前面部材a1、背面を構成する背面部材a5、左側面を構成する左側面部材a2と、右側面を構成する右側面部材a3と、底面を構成する底面部材a4と、左内面部材a30と、右内面部材a31と、左連結部材a8と、右連結部材a15と、フラップa9と、フラップa10と、フラップa16と、フラップa17とを備える。
【００２２】
左内面部材a30は左傾斜面を構成する左傾斜部a6と左内側面を構成する左内側部a7とからなる。左内側部a7には切込部a12が穿設されている。
同様に、右内面部材a31は右傾斜面を構成する右傾斜部a13と右内側面を構成する右内側部a14とからなる。右内側部a14には切込部a19が穿設されている。
【００２３】
左連結部材a8の先端には突出部a11が形成されている。同様に、右連結部材a15の先端には突出部a18が形成されている。
また梱包装置１は、前側の内面を構成する前内面部材a20と、後ろ側の内面を構成する後内面部材a21と、フラップa22と、フラップa23と、先端中央に凹形状の切欠部a26を有するフラップa24と、接着しろa25とを備える。
【００２４】
次に、各部の結合状態につき説明する。図１中に矢印で上下方向、左右方向を示し、以下に図１を参照して説明する上辺下辺左辺右辺はこれに従う。
図１に示すように、左側面部材a2は前面部材a1の左辺に結合する。右側面部材a3は前面部材a1の右辺に結合する。背面部材a5は右側面部材a3の右辺に結合する。底面部材a4は前面部材a1の下辺に結合する。
【００２５】
左傾斜部a6は左側面部材a2の上辺に結合する。左内側部a7は左傾斜部a6の上辺に結合する。左連結部材a8は左内側部a7の上辺に結合する。フラップa9は左内側部a7の左辺に結合する。フラップa10は左内側部a7の右辺に結合する。突出部a11は左連結部材a8の上辺の中央に形成されている。切込部a12は左内側部a7の上辺に沿って延在し上辺の中央に位置する。
フラップa22は左側面部材a2の下辺に結合する。
【００２６】
図１に示すように、右側面部材a3、右傾斜部a13、右内側部a14、右連結部材a15、フラップa16、フラップa17、突出部a18、切込部a19及びフラップa23からなる部分は、左側面部材a2、左傾斜部a6、左内側部a7、左連結部材a8、フラップa9、フラップa10、突出部a11、切込部a12及びフラップa22からなる部分と左右対称に構成される。
【００２７】
前内面部材a20は前面部材a1上辺中央の平坦部に結合する。後内面部材a21は背面部材a5の上辺に結合する。フラップa24は底面部材a4の下辺に結合する。切欠部a26はフラップa24の下辺中央に設けられる。接着しろa25は背面部材a5の右辺に結合する。
【００２８】
次に、留意すべき形状寸法につき説明する。
図１に示すように前面部材a1の上端の形状は、谷状に切り欠かれて形成される。谷底に相当する中央平坦部には前内面部材a20が結合している。その両脇の傾斜部分の長さ寸法をL1とする。寸法L1は、左傾斜部a6及び右傾斜部a13の長さL2とほぼ等しくなるように形成する。前面部材a1の上端の縁が左傾斜部a6及び右傾斜部a13の側辺と合うようにするためである。
【００２９】
図１においてフラップa9（a10，a16，a17）の上端は、組み立てたとき下端となる部分であるが、かかる部分は左内側部a7（右内側部a14）の上辺より上側に延びている。図１に示すようにフラップa9（a10，a16，a17）の長さ寸法をL3、幅寸法をL4とする。フラップa9（a10，a16，a17）は組み立てた際、傾斜部a6（a13）、内側部a7（a14）及び連結部材a8(a15)を支持するものである。寸法L3及び寸法L4を変更することにより、傾斜部a6（a13）の角度や内側部a7（a14）の高さ、連結部材a8(a15)の高さ、すなわち、物品を保持する座面の高さが異なってくる。
【００３０】
図１に示すように後内面部材a21の上辺は凸形状に形成されている。このようにする一つの目的は、展開状態においてフラップa4と重ならないようにして一枚紙から製作できるようにすることにある。他の目的は、組み立てた際に構成される物品保持部（凹部１０）の後ろ側の内面を後内面部材a21により完全に覆うためである。
一方、フラップa26に設けられた切欠部a26は、組み立てた際に後内面部材a21の上辺の凸形状部分と重ならないようにするためのものである。
【００３１】
次に梱包装置１の組み立て手順につき説明する。
図１に示す展開状態の梱包装置１を打ち抜き加工等により素材紙から切り出す。個人的に実施する際には、図１を印刷し外形と切込部a12，a19を切り抜くと良い。図１上に示した破線のうち左連結部材a8と左内側部a7との境界線、及び右連結部材a15と右内側部a14との境界線は谷折りに、その他はすべて山折りにして組み立てる。接着しろa25は左側面部材a2の裏側の縁と接着する。
【００３２】
続いて図２を参照して組み立て手順につき説明する。
接着しろa25と左側面部材a2の裏側の縁とを接着して図２(a)に示すような状態とした後、後内面部材a21を内側にほぼ１８０度折り込み背面部材a5と裏面同士を合わせた状態にする。図示しない前内面部材a20も同様に内側にほぼ１８０度折り込み前面部材a1と裏面同士を合わせた状態にする。
一方、フラップa22，a23を内側にほぼ９０度折る。その後、底面部材a4を内側に折りつつフラップa24を背面部材a5の内側に沿って箱内部に挿入する。
【００３３】
次に図２(b)に示すように、フラップa9，a10を内側に９０度強折り、左傾斜部a6と左内側部a7からなる左内面部材a30を側面部材a2（a3）の上端を基点にして回動させ丸め込みように内部に折り込む。
図２(c)に示すようにフラップa16，a17及び、右傾斜部a13と右内側部a14からなる右内面部材a31についても同様に折り込む。さらに図２(d)に示すように、右連結部材a15の先端に形成された突出部a18を左内側部a7に穿設された切込部a12に挿入する。これにより左右の内面部材a30，a31が連結され内底面が構成される。
なお、右内面部材a31を先に折り込みその後に左内面部材a30折り込むようにして突出部a11を切込部a19に挿入しても良い。
【００３４】
次に図３を参照して組み立てられた梱包装置１の構造につき説明する。図３は、前面部材a1を取り除いて内部構造を見せて描いた梱包装置１の正面図である。
【００３５】
図３に示すように梱包装置１には、左右の側面部材a2，a3から内方に離間した位置に物品を受け入れて保持する上端開口状の物品保持部としての凹部１０が設けられる。左内面部材a30は左側面部材a2の上端から内側に折り曲げられて内方に延出し、内向きに下り傾斜となる傾斜面を左傾斜部a6により構成し、左傾斜部a6から下方に延設される左内側部a7により凹部１０の内側面を構成する。同様に、右内面部材a31は右側面部材a3の上端から内側に折り曲げられて内方に延出し、内向きに下り傾斜となる傾斜面を右傾斜部a13により構成し、右傾斜部a13から下方に延設される右内側部a14により凹部１０の内側面を構成する。
【００３６】
フラップa10（a9）は凹部１０の左内側面の側端部、すなわち、左内側部a7の側端部から外方に前面部材a1（フラップa9にあっては背面部材a5）に沿うように延設されている。またフラップa10（a9）は前面部材a1、背面部材a5、左側面部材a2、右側面部材a3、底面部材a4、左内面部材a30、右内面部材a31及び右連結部材a15で囲まれた空隙１１内に折り込まれ外部からは見えない。右連結部材a15と底面部材a4とは所定間隔隔てて平行に配置される。フラップa10（a9）の側端部は左側面部材a2の内面に接触する。フラップa10（a9）の下端部は箱の底面に配置される部材（フラップa22又は底面材a4）の内面に接触する。このような構造によりフラップa10（a9）は左内面部材a30を支持する。
図３に示すように右内面部材a31及びフラップa16(a17)もそれぞれ左内面部材a30及びフラップa10(a9)と左右対称に構成され、フラップa16,a17は右内面部材a31を支持する。
【００３７】
右連結部材a15は右内面部材a31の下端から延設される。右連結部材a15先端の突出部a18は左内面部材a30に穿設された切込部a12に挿入される。これにより左右の内面部材a30，a31が相互に連結され、凹部１０の内底面が構成される。
【００３８】
後内面部材a21の凸形状に形成された下端部は、右連結部材a15より低位置まで垂れ下がり、フラップa24に設けられた凹部a26と間隔隔てて対向している。そのため、後内面部材a21とフラップa24は重ならない。
【００３９】
以上のような構造の梱包装置１によれば、フラップa10,a9があることによって左内面部材a30が特に図上時計回り方向に動き難くなる。フラップa16,a17があることによって右内面部材a31が特に図上反時計回り方向に動き難くなる。フラップa10,a9及びフラップa16,a17に加え、右連結部材a15により左右の内面部材a30，a31が連結されることによって、左内面部材a30が図上反時計回り方向に、右内面部材a31が図上時計回り方向に動き難くなる。
したがって梱包装置１によれば、左右の内面部材a30，a31が所望の位置に固定され、全体的に強度が増し構造が安定するという効果がある。その結果、収納される物品が所望の位置に安定し、外部への離脱を防止できる。
また、右連結部材a15により物品が下からサポートされるので、物品が所定の高さに保持されるとともに、物品が梱包装置１の底部から抜け落ちることは防がれる。左連結部材a8及び右連結部材a15を設けずに、底面部材a4により物品をサポートしても良いが、底面部材a4はフラップa24により係止されているだけなので、物品の抜け落ちが懸念される。
【００４０】
次に図３に加え図４及び図５を参照する。図４は梱包装置１の斜視図である。図５は梱包装置１に物品を設置した状態の斜視図である。
図４に示すように梱包装置１は、直方体を基本として説明すると、その直方体の一面に、１対の平面状のスロープ（傾斜面）が形成された谷状の窪みを有し、その窪みの底部にはさらに垂直に沈下した凹部１０を有する。その窪みの断面に相当する範囲において前面は切り欠かれているが背面は切り欠かれていない。
【００４１】
図５に示すように梱包装置１に腕時計２が設置される。腕時計２はスペーサ３によってきれいな輪状に保持されて、物品保持部である凹部１０に下半分ほど挿入される。図５に示すような状態で展示すれば、腕時計２の両脇には傾斜部a6，a13により内向きに下り傾斜（＝外向きに上り傾斜）となる傾斜面が構成されているので、左右斜め方向からも腕時計２を鑑賞することができる。また、前面部材a1の上端が谷状に切りかかれているので、前からも腕時計２を鑑賞することができる。
したがって、梱包装置１によれば物品の展示性が良い。
梱包装置１は包装用箱としても、展示用箱としても用いることできる。梱包装置１を商品用に用いる場合には、前面部材a1や背面部材a21に商品名やマーク等を印刷すると良い。前面部材a1と背面部材a21の双方に印刷する場合でも梱包装置１によれば梱包装置１を切り出す前の素材紙に一度に印刷することができる。
図３に示した空隙１１内には、商品の説明書や備品を収納することができる。
【００４２】
次に梱包装置１の6面図を開示する。図６(a)は梱包装置１の正面図、(b)は平面図である。図７(a)は梱包装置１の左側面図兼右側面図、(b)は底面図、(c)は背面図である。
梱包装置１を正面から見ると全体は長方形で、左右に直線的な傾斜を有する谷状の窪地が上部3分の１程度まで存在し、その窪地の奥が後内面部材a21により閉ざされているのが認識できる。
梱包装置１を上方から見ると全体は長方形で、長手方向（左右方向）における中央の奥まった領域に連結部材a8又はa15が在り、その両側に左右の傾斜部a6，a13によるスロープ（傾斜面）が認識できる。
梱包装置１の左側面、右側面、底面及び背面の外形はそれぞれ長方形である。
【００４３】
〔第２の実施形態〕
本発明の第２の実施形態につき図面を参照して説明する。図８は、本実施形態の梱包装置４の展開図である。
図８に示すように梱包装置１は、各部材が隣接する他の部材に繋がり全体が一平面上に展開可能に一体形成される。
【００４４】
まず、梱包装置４の要素を挙げる。
梱包装置４は、第１の実施形態の梱包装置１と同様に、前面を構成する前面部材b1、背面を構成する背面部材b5、左側面を構成する左側面部材b2と、右側面を構成する右側面部材b3と、底面を構成する底面部材b4と、左内面部材b30と、右内面部材b31と、左連結部材b8と、右連結部材b15と、フラップb9と、フラップb10と、フラップb16と、フラップb17とを備える。
【００４５】
左内面部材b30は左傾斜面を構成する左傾斜部b6と左内側面を構成する左内側部b7との境目に折り目なく形成される。左内側部b7には切込部b12が穿設されている。
同様に、右内面部材b31は右傾斜面を構成する右傾斜部b13と右内側面を構成する右内側部b14との境目に折り目なく形成される。右内側部b14には切込部b19が穿設されている。
【００４６】
左連結部材b8の先端には突出部b11が形成されている。同様に、右連結部材b15の先端には突出部b18が形成されている。
また梱包装置４は、前側の内面を構成する前内面部材b20と、後ろ側の内面を構成する後内面部材b21と、フラップb22と、フラップb23と、先端中央に凹形状の切欠部b26を有するフラップb24と、接着しろb25とを備える。
【００４７】
本実施形態の梱包装置４を構成する各部は上記第１の実施形態と同様に結合し、以下の点で形状が異なる。
図８に示すように前面部材b1の上端の形状は、谷状に切り欠かれて形成される。谷底に相当する中央平坦部には前内面部材b20が結合している。その両脇の傾斜部分は4分の１円弧の形状を成す。その弧の長さ寸法をL5とする。寸法L5は、左傾斜部b6及び右傾斜部b13の長さL6とほぼ等しくなるように形成する。前面部材b1の上端の縁が左傾斜部b6及び右傾斜部b13の側辺と合うようにするためである。
【００４８】
図８中に矢印で上下方向、左右方向を示し、以下に図８を参照して説明する上辺下辺左辺右辺はこれに従う。
図８においてフラップb9（b10，b16，b17）の上端は、組み立てたとき下端となる部分であるが、かかる部分は左内側部b7（右内側部b14）の上辺より上側に延びている。フラップb9（b10，b16，b17）の左内側部b7（右内側部b14）の下辺より下側に延びている部分は4分の１円の形状を成す。この4分の１円の半径は前面部材b1の上端の4分の１円弧の半径とほぼ同じ寸法とする。図８に示すようにフラップb9（b10，b16，b17）の長さ寸法をL7、幅寸法をL8とする。フラップb9（b10，b16，b17）は組み立てた際、内面部材b30(b31)及び連結部材b8(b15)を支持するものである。寸法L7及び寸法L8が、内面部材b30(b31)の傾斜部b6(b13)の長さL6や内側部b7(b14)の高さ、連結部材b8(b15)の高さ、すなわち、物品を保持する座面高さに影響する。
本実施形態の梱包装置４の組み立ては上記第１の実施形態と同様に行うことができる。
【００４９】
次に図９を参照して組み立てられた梱包装置４の構造につき説明する。図９は、前面部材b1を取り除いて内部構造を見せて描いた梱包装置４の正面図である。
【００５０】
図９に示すように梱包装置４には、左右の側面部材b2，b3から内方に離間した位置に物品を受け入れて保持する上端開口状の凹部（物品保持部）１０が設けられる。左内面部材b30は左側面部材b2の上端から内側に折り曲げられて内方に延出し、内向きに下り傾斜となる傾斜面を湾曲した左傾斜部b6により構成し、左傾斜部b6から下方に延設される左内側部b7により凹部１０の内側面を構成する。同様に、右内面部材b31は右側面部材b3の上端から内側に折り曲げられて内方に延出し、内向きに下り傾斜となる傾斜面を湾曲した右傾斜部b13により構成し、右傾斜部b13から下方に延設される右内側部b14により凹部１０の内側面を構成する。これら左右の傾斜面は、円筒の９０度分に相当する。
【００５１】
フラップb10（b9）は凹部１０の左内側面の側端部、すなわち、左内側部b7の側端部から外方に前面部材b1（フラップb9にあっては背面部材b5）に沿うように延設されている。またフラップb10（b9）は前面部材b1、背面部材b5、左側面部材b2、右側面部材b3、底面部材b4、左内面部材b30、右内面部材b31及び右連結部材b15で囲まれた空隙１１内に折り込まれ外部からは見えない。右連結部材b15と底面部材b4とは所定間隔隔てて平行に配置される。フラップb10（b9）の側端部は左側面部材b2の内面に接触する。フラップb10（b9）の下端部は箱の底面に配置される部材（フラップb22又は底面材b4）の内面に接触する。フラップb10（b9）の上端部の円弧状の端面は左内面部材b30の左傾斜部b6の内面に沿って左傾斜部b6が円弧状に湾曲形成されるように強制する。このような構造によりフラップb10,b9は左内面部材b30を支持する。
図９に示すように右内面部材b31及びフラップb16(b17)もそれぞれ左内面部材b30及びフラップb10(b9)と左右対称に構成され、フラップb16,b17は右内面部材b31を支持する。
【００５２】
右連結部材b15は右内面部材b31の下端から延設される。右連結部材b15先端の突出部b18は左内面部材b30に穿設された切込部b12に挿入される。これにより左右の内面部材b30，b31が相互に連結され、凹部１０の内底面が構成される。
【００５３】
後内面部材b21の凸形状に形成された下端部は、右連結部材b15より低位置まで垂れ下がり、フラップb24に設けられた凹部b26と間隔隔てて対向している。そのため、後内面部材b21とフラップb24は重ならない。
【００５４】
以上のような構造の梱包装置４によれば、上記第１の実施形態の梱包装置１と同様の効果があり、また上記第１の実施形態の梱包装置１とは異なり左右の傾斜面が曲面となる。
【００５５】
次に図１０を参照する。図１０は梱包装置４の斜視図である。
図１０に示すように梱包装置４は、直方体を基本として説明すると、その直方体の一面に、１対の曲面状のスロープ（傾斜面）が形成された谷状の窪みを有し、その窪みの底部にはさらに垂直に沈下した凹部１０を有する。その窪みの断面に相当する範囲において前面は切り欠かれているが背面は切り欠かれていない。曲面状のスロープ（傾斜面）はちょうど円筒の4分の１に相当する。
梱包装置４は包装用箱としても、展示用箱としても用いることできる。
【００５６】
次に梱包装置４の6面図を開示する。図１１(a)は梱包装置４の正面図、(b)は平面図である。図７(a)は梱包装置１及び梱包装置４の左側面図兼右側面図、(b)は底面図、(c)は背面図である。
梱包装置４を正面から見ると全体は長方形で、左右に4分の１円弧状の外に突出した傾斜を有する谷状の窪地が上部3分の１程度まで存在し、その窪地の奥が後内面部材b21により閉ざされているのが認識できる。
梱包装置４を上方から見ると全体は長方形で、長手方向（左右方向）における中央の奥まった領域に連結部材b8又はb15が在り、その両側に左右の内面部材b30，b31によるスロープ（傾斜面）が認識できる。
梱包装置４の左側面、右側面、底面及び背面の外形はそれぞれ長方形である。
【００５７】
〔第３の実施形態〕
次に第３の実施形態の梱包装置５として箱の蓋につき説明する。本実施形態の蓋は上記第１の実施形態の梱包装置１又は第２の実施形態の梱包装置４用の蓋、又は他の箱の蓋として使用できるものである。
【００５８】
図１２は、本梱包装置５の展開図である。
本梱包装置５は、箱の蓋であり、周壁部材c1,c2,c3,c5と前記周壁部材の上端の一部から延出する上面部材c4とを有し、前記上面部材c4の先端に付設されたフラップ（以下「上フラップ」という。）c9を前記周壁部材の内側に沿って蓋内に挿入することにより組み立てられる箱の蓋であって、
箱本体に被せたとき前記周壁部材が箱本体の外側に嵌合し、前記箱本体の側壁であって少なくとも上フラップc9側の側壁の上端が上フラップc9の下端より上部へ侵入することにより完全に閉まる箱の蓋において、
前記周壁の下端の一部から延出するフラップ（以下「下フラップ」という。）c6が内側に折り込まれ、上フラップc9を前記周壁部材とで挟み込んでなることを特徴とする下端開口状の箱の蓋である。
【００５９】
また本梱包装置５は、前記周壁部材の上端の一部から延出し、前記上面部材の下側に折り込まれるフラップ（以下「横フラップ」という。）c7,c8を有し、
上フラップc9と上フラップc9に対向する横フラップc7,c8の切欠部c11,c12により、嵌合溝が形成され、
下フラップc6の先端に前記嵌合溝に嵌合する突出部c10が形成されてなることを特徴とする箱の蓋である。
【００６０】
図１２に示すように梱包装置５は、各部材が隣接する他の部材に繋がり全体が一平面上に展開可能に一体形成される。
【００６１】
梱包装置５は、前面を構成する前面部材c1、背面を構成する背面部材c5、左側面を構成する左側面部材c2と、右側面を構成する右側面部材c3と、上面を構成する上面部材c4と、下フラップc6と、左横フラップc7と、右横フラップc8と、上フラップc9と接着しろc15とを備える。
【００６２】
図１２に示すように左横フラップc7及び右横フラップc8の角部には、嵌合溝を形成する切欠部c11，c12が形成されている。下フラップc6の角部は丸められている。下フラップc6の先端には前記嵌合溝に嵌合する突出部c10が形成されている。
前面部材c1の下端には切欠部c13が形成されている。背面部材c5と下フラップc6には円形の丸孔c14が半円ずつ跨って形成されている。
【００６３】
次に、各部の結合状態につき説明する。図１２中に矢印で上下方向、左右方向を示し、以下に図１２を参照して説明する上辺下辺左辺右辺はこれに従う。
図１２に示すように、左側面部材c2は前面部材c1の左辺に結合する。右側面部材c3は前面部材c1の右辺に結合する。背面部材c5は左側面部材c2の左辺に結合する。上面部材c4は前面部材c1の上辺に結合する。
下フラップc6は背面部材c5の下辺に結合する。左横フラップc7は左側面部材c2の上辺に結合する。右横フラップc8は右側面部材c3の上辺に結合する。上フラップc9は上面部材c4の上辺に結合する。接着しろc15は背面部材c5の左辺に結合する。
【００６４】
次に梱包装置５の組み立て手順につき説明する。
図１２に示す展開状態の梱包装置５を打ち抜き加工等により素材紙から切り出す。個人的に実施する際には、図１２を印刷し外形と丸孔c14を切り抜くと良い。図１２上に示した破線はすべて山折りにして組み立てる。接着しろc15は右側面部材c3の裏側の縁と接着する。
【００６５】
続いて図１３を参照して組み立て手順につき説明する。
接着しろc15と右側面部材c3の裏側の縁とを接着して図１３(a)に示すような状態とした後、左横フラップc7及び右横フラップc8をそれぞれ内側にほぼ９０度折る。その後、図１３(b)に示すように上面部材c4を内側に折りつつ上フラップc9を背面部材a5の内側に沿って蓋内部に挿入する。結果的に、左横フラップc7及び右横フラップc8は上面部材c4の下側に折り込まれる。
【００６６】
次に図１３(c)に示すように、下フラップc6をほぼ１８０度回動させるように内側に折り込む。さらに図１３(d)に示すように上フラップc9と上フラップc9に対向する切欠部c11,c12とで作られる嵌合溝に突出部c10を挿入する。
【００６７】
次に図１４を参照して梱包装置５につき説明する。図１４は、下フラップc6の開閉動作の様子を模式的に描いた梱包装置５の斜視図である。
【００６８】
図１４に示すように上フラップc9と上フラップc9に対向する切欠部c11,c12とで外周部が形成される嵌合溝c16に突出部c10が挿入されて組み立てが完了する。嵌合溝c16の底面は上面部材c4の一部で形成される。
このような梱包装置５によれば、上フラップc9を背面部材c5と下フラップc6とで挟み込む。
したがって、梱包装置５を箱本体に被せたとき背面側に沿って侵入する箱本体の側壁の上端は上フラップc9には接触せず、下フラップc6に案内されて上フラップc9の下端より上部へ侵入し蓋が円滑に閉まる。
例えば、梱包装置１又は梱包装置４に梱包装置５を被せる場合を考える。下フラップc6が無い場合、背面部材a5,b5（後内面部材a21,b21）の上端が上フラップc9に接触して完全に蓋が閉まらないことがある。しかし、下フラップc6が有ると背面部材a5,b5が上フラップc9に接触することなく完全に蓋が閉まる。
【００６９】
なお梱包装置５によれば、切欠部c13が形成されているので箱本体の前面に印刷された商品名等が蓋を閉めた状態においても露出する。
また、切欠部c13の反対側に丸孔ｃ１４が形成されているので、蓋を閉めた状態において箱本体の前面の下端と背面の下端とが露出し箱本体を掴むことができる。そのため容易に蓋を開けることができる。
【００７０】
〔第４の実施形態〕
次に第４の実施形態の梱包装置６としてスペーサにつき説明する。本実施形態のスペーサは腕時計を梱包する際に使用できるものである。
【００７１】
本梱包装置６は、腕時計を巻きつけるスペーサであって、曲げ変形可能な平板状長尺物からなり、長手方向の両端にそれぞれ係止部d1,d2,d3,d4が形成され、そのうち少なくとも一端には前記係止部が長手方向の異なる位置に２以上形成され、輪状に曲げられ両端が突き合わされて両端の前記係止部同士が係合し、前記輪状が仮固定されることを特徴とするスペーサである。
【００７２】
図１５(a)は梱包装置６の展開図である。図１５(a)に示すように梱包装置６は紙等の折り曲げ可能な材料からなり、展開状態で長方形で図中破線で示すように数カ所折り目を有する。図１５(b)(c)(d)に示すように輪状に仮固定される。図１５(e)に示すように梱包装置６には腕時計２が巻きつけられ、梱包装置６は腕時計２を所定形状に保持することができる。
【００７３】
図１５(a)に示すように梱包装置６の長手方向の一端には、係止部である２つの切込部d1,d2が長手方向と垂直な方向に切り込まれて形成されている。梱包装置６の長手方向の他端には他の係止部である２つの切込部d3,d4が長手方向と垂直な方向に切り込まれて形成されている。２つの切込部d1,d2が切り込まれている辺と他の２つの切込部d3,d4が切り込まれている辺は対辺である。２つの切込部d1,d2は長手方向の異なる位置に設けられる。同様に２つの切込部d3,d4は長手方向の異なる位置に設けられる。２つの切込部d1,d2及び２つの切込部d3,d4の先端はそれ以上切れないように丸く打ち抜かれている。
【００７４】
図１５(a)に示す展開状態の梱包装置６をその長手方向に丸めるように輪状に折り曲げて両端を突き合わせ外側の切込部d1と外側の切込部d4を噛み合わせれば、図１５(b)に示すように梱包装置６が大サイズの輪状に仮固定される。
【００７５】
また、図１５(a)に示す展開状態の梱包装置６をその長手方向に丸めるように輪状に折り曲げて両端を突き合わせ内側の切込部d2と外側の切込部d4、又は内側の切込部d3と外側の切込部d1を噛み合わせれば、図１５(c)に示すように梱包装置６が中サイズの輪状に仮固定される。
【００７６】
更に、図１５(a)に示す展開状態の梱包装置６をその長手方向に丸めるように輪状に折り曲げて両端を突き合わせ内側の切込部d2と内側の切込部d3とを噛み合わせれば、図１５(d)に示すように梱包装置６が小サイズの輪状に仮固定される。
【００７７】
以上のように梱包装置６によれば、異なるサイズの輪状に仮固定することができる。そのため、異なるバンドサイズの腕時計に使用することができ、又は、同一腕時計を異なるサイズに保持することができる。
梱包装置６によれば、切込部を噛み合わせることによる仮固定であるので、仮固定後、他のサイズに変更することが容易である。
【００７８】
なお、上記梱包装置１，４，５，６の素材は紙に限定するものではなく例えば、プラスチック素材、ビニール素材等の各種の素材を用いてもよい。
また、梱包装置に収納する物品はこの実施の形態では、腕時計としているが、腕時計に限定するものではなく、例えば宝石、貴金属製品、アクセサリー等の小物、携帯電話、電子手帳等の携帯電子機器などであってもよい。
【００７９】
【発明の効果】
上述したように請求項１記載の発明によれば、収納された物品を物品保持部により各側面部材の間の位置に確実に保持することができ、収納された物品を外部に離脱させず、下方へ落下させずに保持することができる。また、物品保持部の両側には内向きに下り傾斜となる傾斜面が構成されているので、収納される物品の出し入れがしやすいとともに、物品を収納した際、物品が斜めからも見やすく、また、傾斜面が物品の左右両脇に露出するので、傾斜面が物品を引き立てる装飾的作用を奏する。
【００８０】
また、上述したように請求項２記載の発明によれば、内面部材に物品の荷重等のある程度の外力が作用しても、フラップが内面部材を支持するので、その方向には動き難く、内面部材が所望の立体形状に保持されやすく、その結果、収納される物品が所望の位置に安定しやすい。
【００８１】
また、上述したように請求項３記載の発明によれば、連結部材が左右の内面部材の下端間に架設され、この連結部材により物品を所望の高さに支持し、下方へ落下させずに保持することができる。また、物品を収納しない状態において、左右の内面部材のうち一方の内面部材の下端から延設される連結部材が他方の内面部材に当接するので、内面部材を構成する材料の回復力により、右の内面部材が所望の位置より左方向へ動いたり、左の内面部材が所望の位置より右方向へ動いたりすることが防がれ、内面部材が所望の立体形状に保持されやすく、その結果、収納される物品が所望の位置に安定しやすい。
【００８２】
また、上述したように請求項４記載の発明によれば平面による装飾美が楽しめ、請求項５記載の発明によれば曲面による装飾美が楽しめる。
【００８３】
また、上述したように請求項６記載の発明によれば、前面部材の上端が物品を受け入れる凹部の範囲で谷底となるような谷状に形成されるので、凹部に保持された物品を前面側からも見やすく展示することができる。前面部材上端の谷形状の傾斜に当たる部分は内面部材の傾斜面の側辺と合わさるので、梱包装置の外装もきれいである。
【００８４】
更に、上述したように請求項７記載の発明によれば、各部材が隣接する他の部材に繋がり全体が一平面上に展開可能に一体形成されるので、紙等の折り曲げ可能な平板状の材料を打ち抜き剪断加工することにより効率良く生産することができる。
【図面の簡単な説明】
【図１】本発明第１の実施形態に係る梱包装置の展開図である。
【図２】本発明第１の実施形態に係る梱包装置の組み立て手順を示す斜視図である。
【図３】前面部材を取り除いて内部構造を見せて描いた本発明第１の実施形態に係る梱包装置の正面図である。
【図４】本発明第１の実施形態に係る梱包装置の斜視図である。
【図５】本発明第１の実施形態に係る梱包装置に物品を設置した状態の斜視図である。
【図６】本発明第１の実施形態に係る梱包装置の正面図(a)と平面図(b)である。
【図７】本発明第１の実施形態に係る梱包装置及び第２の実施形態に係る梱包装置の左側面図兼右側面図(a)と底面図(b)と背面図(c)である。
【図８】本発明第２の実施形態に係る梱包装置の展開図である。
【図９】前面部材を取り除いて内部構造を見せて描いた本発明第２の実施形態に係る梱包装置の正面図である。
【図１０】本発明第２の実施形態に係る梱包装置の斜視図である。
【図１１】本発明第２の実施形態に係る梱包装置の正面図(a)と平面図(b)である。
【図１２】本発明第３の実施形態に係る梱包装置の展開図である。
【図１３】本発明第３の実施形態に係る梱包装置の組み立て手順を示す斜視図である。
【図１４】本発明第３の実施形態に係る梱包装置の斜視図である。
【図１５】本発明第４の実施形態に係る梱包装置の展開図(a)と正面図(b)(c)(d)と腕時計を巻いた状態の正面図(e)である。
【符号の説明】
１…梱包装置（箱本体）  ４…梱包装置（箱本体）  ５…梱包装置（箱の蓋）
６…梱包装置（スペーサ）  １０…凹部（物品保持部）  a1,b1…前面部材  a2,b2…左側面部材  a3,b3…右側面部材  a4,b4…底面部材  a5,b5…背面部材  a6,b6…左傾斜部  a7,b7…左内側部  a8…左連結部材  a9,b9…フラップ  a10,b10…フラップ  a11,b11…突出部  a12,b12…切込部  a13,b13…右傾斜部  a14,b14…右内側部  a15,b15…右連結部材  a16,b16…フラップ  a17,b17…フラップ  a18,b18…突出部  a19,b19…切込部  a20,20…前内面部材  a21,b21…後内面部材  a22,b22…フラップ  a23,b23…フラップ  a24,b24…フラップ  a25,b25…接着しろ  a26,b26…切欠部  a30,b30…左内面部材  a31.b31…右内面部材
【図１】
0003962857.tif 000002
【図２】
0003962857.tif 000003
【図３】
0003962857.tif 000004
【図４】
0003962857.tif 000005
【図５】
0003962857.tif 000006
【図６】
0003962857.tif 000007
【図７】
0003962857.tif 000008
【図８】
0003962857.tif 000009
【図９】
0003962857.tif 000010
【図１０】
0003962857.tif 000011
【図１１】
0003962857.tif 000012
【図１２】
0003962857.tif 000013
【図１３】
0003962857.tif 000014
【図１４】
0003962857.tif 000015
【図１５】
0003962857.tif 000016